(57)【要約】      （修正有）【課題】装飾石を剥離、脱落等が生じることなく例えば皮革地等のシート素材に確実に固定保持でき、シート素材の特質を活かした装飾を可能とするシート製品を提供する。【解決手段】皮革材１に所定模様を形成する配列固定孔３を開穿配列し、この配列固定孔３内に埋め込み状に配置したラインストーンの如き装飾石２の平坦状の接着面を、皮革材１裏面に重ね合わせる下地材５表面の加熱溶融性接着剤層６に対する加熱溶融によって接着固定して成る。また、その製法は、皮革材１に所定模様を形成する配列固定孔３を開穿配列する一方、配列固定孔３を覆う下地材５の表面に加熱溶融性接着剤層６を形成しておき、この加熱溶融性接着剤層６表面を皮革材１表面側に向けて下地材５を皮革材１裏面に配し、その後、加熱溶融性接着剤層６を加熱溶融して装飾石２を配列固定孔３内で下地材５上に固定接着する。【選択図】図３
0003178055.tif 000002
【実用新案登録請求の範囲】
【請求項１】
シート素材に所定模様を形成する配列固定孔を開穿配列し、この配列固定孔内に埋め込み状に配置した装飾石の平坦状の接着面を、シート素材裏面に重ね合わせられる下地材表面の加熱溶融性接着剤層に対する加熱溶融によって接着固定して成ることを特徴とする装飾されたシート製品。
【請求項２】
装飾石の高さは配列固定孔の深さあるいはシート素材の厚さに比し大きくはない程度としてある請求項１に記載の装飾されたシート製品。
【請求項３】
シート素材は、皮革材である請求項１または２に記載の装飾されたシート製品。
【考案の詳細な説明】
【技術分野】
【０００１】
この考案は例えば衣類、鞄、靴その他として皮革材等のシート材によって形成される各種の皮革製品等において、例えばラインストーンの如き装飾石による装飾が施されるとき、その装飾石の剥離、脱落その他が生じないようにして装飾形態を維持でき、体裁が良好となる装飾されたシート製品に関する。
【背景技術】
【０００２】
従来から、比較的に小粒の模造宝石であるラインストーンを衣類、鞄、靴その他の各種物品の表面に所定模様となるように接着固定して装飾し、それらの光沢、装飾模様等によって装飾物品の見栄えを良くし、体裁を良好なものとしている。このような物品表面に対する接着構成は、裏面が平坦なタイプの装飾石をホットフィット、ホットフィックス等と称される例えばアイロン加熱による方法によって行われている。こうして構成される各種の装飾品として例えば特許文献１に示されるぬいぐるみの装飾キット、装飾ぬいぐるみ玩具があり、特許文献２に示される車両の内装部品及び車両の装飾方法があり、更には特許文献３に示される宝石等の装飾体の皮革地への取付構造等がある。
【０００３】
特許文献１に係るぬいぐるみは、接着用平面が被装飾側に形成された装飾片（ラインストーン）を、ポリエステル製の表面であるぬいぐるみ本体に接着用平面にてボンドを介して接着して成る。特許文献２に係る内装部品、接着方法は、内装部品の表面に加飾部材（ラインストーン）を接着するに際し、内装部品の表面に形成した凹部内に一部が凹部から突出された状態で加飾部材を接着し、その後に加飾部材の表面にコーティング層を形成して成る。特許文献３に係る取付構造は、皮革地に形成した穴に突出させて嵌め合わせた宝石を、皮革地裏面に配した座金に宝石台の爪を屈曲させて取り付け、皮革地裏面で座金を柔軟な押え具によって被って成る。
【先行技術文献】
【特許文献】
【０００４】
【特許文献１】登録実用新案第３１５３３６１号公報
【特許文献２】特開２００９−９０７４６号公報
【特許文献３】実開平６−１０３５２号公報
【考案の概要】
【考案が解決しようとする課題】
【０００５】
このような従来のラインストーンの取り付け方法として、特許文献１にあるようにラインストーンの平坦な裏面を接着剤によって被対象物に接着する場合には、こすれたり、ぶつかったりすることでラインストーンが剥離、脱離することが多く、不体裁なものになる。また、特許文献２にあるように接着後のコーティング層の被覆は、被覆処理を施す必要があるから、面倒であるばかりでなく、表面に形成される凹凸面は車両における各種の内装材とするのは適当ではない。特許文献３にあるように皮革地の裏面側からの宝石の支持構成は、ある程度の大きさがある宝石を対象としており、ラインストーンのような比較的に小粒の模造宝石の取付構造とすることは困難である。
【０００６】
そこでこの考案は上述したような従来存した諸事情に鑑み案出されたもので、その目的はラインストーンの如き比較的に小粒の模造宝石である装飾石等を、剥離、脱落等が生じることなく例えば皮革地等のシート材表面側に確実に固定保持でき、また取り付けられる被対象素材のシート素材等の柔軟性を損なわず、被対象素材であるシート素材の特質を活かした装飾、例えばこれを利用した衣類、鞄、靴、装飾材その他の制作等を可能とする装飾されたシート製品を提供することにある。
【課題を解決するための手段】
【０００７】
上述した課題を解決するため、この考案にあっては、シート素材（１）に所定模様を形成する配列固定孔３を開穿配列し、この配列固定孔３内に埋め込み状に配置したラインストーンの如き装飾石２の平坦状の接着面を、シート素材（１）裏面に重ね合わせられる下地材５表面の加熱溶融性接着剤層６に対する加熱溶融によって接着固定して成ることを特徴とする。
装飾石２の高さは配列固定孔３の深さあるいはシート素材（１）の厚さに比し大きくはない程度とすることができる。
シート素材は、皮革材１とすることができる。
【０００８】
以上のように構成されたこの考案に係る装飾されたシート製品にあって、皮革材等のシート素材（１）に開穿配列された配列固定孔３は、シート素材（１）表面に配されるラインストーンの如き装飾石２を埋め込み状にその内部で保持させ、シート素材（１）裏面側から重ね合わせられる下地材５の加熱溶融性接着剤層６は、その加熱溶融で装飾石２を下地材５上に接着支持させる。
皮革材１であるシート素材は、皮革製品としての各種物品に加工させ、加工された皮革材１表面がこすられ、他物とぶつかること等でも、装飾石２が皮革材１上面に突出しないことと相俟ち、接着、埋め込まれている装飾石２を皮革材１から剥離、脱落させず、装飾石２による装飾性を維持させる。
【考案の効果】
【０００９】
この考案は以上説明したように構成されているため、例えば皮革材１等のシート素材表面に埋め込み状に配置され、裏面側から接着保持されているラインストーンの如き装飾石２が外部からの衝撃その他によっても剥離、脱落することはなく、装飾石２による装飾模様等を長期にわたり維持できる。
【００１０】
すなわちこれはこの考案において、シート素材（１）に開穿配列した配列固定孔３内に埋め込み状に配置される装飾石２を、シート素材（１）裏面側に重ね合わせた下地材５の加熱溶融性接着剤層６による加熱溶融接着によって接着固定したからであり、これによって、装飾石２のシート素材（１）上面での突出がないことで、いわゆる引っ掛かりもなくなり、装飾石２の剥離、脱落が生じないから、装飾石２による装飾模様等を損なうことがない。
【００１１】
また、シート素材としての皮革材１によって各種の物品、例えば衣類、鞄、靴、車両における内装部材その他として加工できると共に、装飾石２の剥離、脱落等を阻止するための被覆処理を要しないから、加工処理を簡素化し、しかも皮革材１としての素材表面そのままの感触を維持できる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す一部切欠斜視図である。
【図２】同じく分解断面図である。
【図３】同じく製造工程の一例を示す概略図である。
【図４】同じく断面図である。
【考案を実施するための形態】
【００１４】
以下、図面を参照してこの考案を実施するための一形態を説明すると、図において示される符号１は所定の皮革製品を構成する天然皮革、合成皮革等の皮革材であり、これを素材とすることで例えば衣類、鞄、靴、装飾材その他の各種物品として構成される。皮革材１自体は、合成皮革、天然皮革のいずれであるとを問わず、任意に選定可能であり、表層部分が適当な裏生地によって支持され、皮革材１としての柔軟性を備えている。尚、本実施の形態においては、皮革材１に対する装飾石２の装飾形態を説明するも、皮革材１の如き所定肉厚のシート素材であれば同様に実施できる。
【００１５】
この皮革材１には、適当な模様となる複数個のラインストーン、クリスタルストーン、スワロフスキー等の如き小粒の模造宝石である装飾石２が所定の配列形態にしたがって接着されることで保持固定されている。装飾石２自体は、例えば裏面が平坦な接着面となっていて、この接着面によって、更にはこの接着面に塗布されている接着剤の介在によっても皮革材１に埋め込み状にして固定配置される。
【００１６】
装飾石２の皮革材１に対する配列固定は、皮革材１に開穿配列した配列固定孔３内に埋め込み状に装飾石２を配置する一方、加熱溶融性接着剤層６が表面に一体状に積層されている下地材５を皮革材１の裏面に重ね合わせ、加熱溶融性接着剤層６に対する加熱接着によって配列固定孔３内の装飾石２を下地材５上に接着固定する。
【００１７】
これを具体的に説明すると、複数の装飾石２によって形成される所定の配列模様に対応して皮革材１に装飾石２それぞれの大きさに合わせた配列固定孔３を開穿配列する。この配列固定孔３それぞれは、配列される装飾石２の大きさ例えばその外径に対応した大きさで開穿加工され、装飾石２の高さは配列固定孔３の深さ、すなわち皮革材１の厚さに比し大きくはない程度とされていることが望ましい（図３（ａ），（ｂ）参照）。
【００１８】
一方、皮革材１に対する開穿配列加工とは別に、皮革材１裏面に裏打ち状に重ね合わされる例えば綿素材の下地材５が別に用意され（図３（ｃ）参照）、この下地材５の表面には、熱可塑性の合成樹脂、ゴムをベースとした１００％固形分であるホットメルトと称される加熱溶融性接着剤層６が形成されており、この加熱溶融性接着剤層６は例えば所定肉厚の加熱溶融性フィルム材を下地材５に重ね合わせ、加熱溶融させることで下地材５表面に層状に一体的に形成される（図３（ｄ）参照）。このフィルム材として、例えば熱可塑性樹脂ナイロン−１２（ポリアミド１２）を主原料としてＴダイ法でフィル化された、ダイセルファインゲム株式会社から提供されているダイアミドフィルム（登録商標）が使用されるが、これに限定されるものではない。
【００１９】
この下地材５は、皮革材１に形成される所定模様の外郭を充分に囲繞するに足る外形、大きさを備えているも、場合によっては所定模様を適当数で分割する区画域毎で重ね合わされることもある。尚、皮革材１裏面全域を覆う下地材５としても良く、また部分的に覆われる下地材５裏面をも更に覆って皮革材１裏面全域に化粧用下地材（図示せず）を重ね合わせることも可能である。
【００２０】
次いで、皮革材１の裏面に下地材５を宛がい、所定温度で加熱することによって加熱溶融性接着剤層６を介して皮革材１の裏面に下地材５を接着状態で重ね合わせて一体化し、配列固定孔３に加熱溶融性接着剤層６面が臨まれるようにする。
【００２１】
然る後、所定の配列形態となっている配列固定孔３内それぞれに装飾石２それぞれを埋め込むように、装飾石２底部の平坦な接着面を加熱溶融性接着剤層６面側に位置させて配置する（図３（ｅ）参照）。
【００２２】
そして、皮革材１の表面側あるいは裏面側、好ましくは皮革材１の裏面側から再度加熱し、加熱溶融性接着剤層６面に装飾石２を接着固定するのであり、このときの装飾石２の頂面は配列固定孔３における皮革材１表面から大きくは突出していない状態とされることが望ましい。もとより、装飾石２それぞれの高さと、配列固定孔３の深さすなわち皮革材１の厚さとの関係で装飾石２の頂面は配列固定孔３内で没入されているか、突出されているかのいずれかとなり、いずれも任意に選定可能である。
【００２３】
尚、装飾石２による装飾配列模様は、文字、記号、例えば抽象物・具象物等を表現している図形その他とすることができ、これらは任意に選定可能であるのは勿論である。
【００２４】
また、皮革材１を素材としてこれに所定の装飾模様を施す場合として説明したが、装飾される素材は皮革材１に限定されず、布地、不織布、金属製薄板（金属箔）、薄板材その他とすることもでき、配列固定孔３の開穿加工によって例えばほつれ等が生じても、裏面から重ね合わせられる下地材５及び配列固定孔３内に埋め込み状に配される装飾石２外周縁との当接等によって配列固定孔３内周縁のほつれ等は防止される。
【産業上の利用可能性】
【００２５】
また、以上のようにして形成されることで得られたこの考案に係る装飾されたシート製品は、このシート製品を使用することで様々な物品を構成することもでき、上述したような例えば衣類、鞄、靴、装飾材その他とするのみならず、平面的な物品の装飾、更にはこれを素材として立体的に構成した各種の装飾物等とすることもでき、汎用性あるものとして各種物品に適用できる。
【符号の説明】
【００２６】
１…皮革材                              ２…装飾石（ラインストーン）
３…配列固定孔
５…下地材                              ６…加熱溶融性接着剤層
【図１】
0003178055.tif 000003
【図２】
0003178055.tif 000004
【図３】
0003178055.tif 000005
【図４】
0003178055.tif 000006